(57)【要約】 【課題】  展示中のストレス蓄積回避やペットの性格把握容易性など共通大展示区画的な利点を保持しつつも、商品情報を把握しやすい個別展示の利点も巧みに融合でき、かつ、共通大展示区画と個別小展示区画との機能融合により広大な展示空間の活用を可能とするペット販売用ブース構造を提供する。【解決手段】  ペット販売用ブース構造１によると、ブース本体２内にて主展示区画４は壁部上方が開放しており、隣の主展示区画４とも共有される展示室３の空間が大きく拡がっているので圧迫感が少ない。また、その壁部の高さも、ペットの自力での乗り越えは困難であるが、店員は簡単に抱き上げられる程度の高さで仕切られているので、ペットがなついている店員との親近感が損なわれにくい。その結果、壁部で仕切られた展示区画でありながら、ペットは特許文献１の大展示区画に準じた開放的感及び安心感を味わうことができ、該大展示区画と同様の感覚で自由に遊ぶことができる。【選択図】    図５
2008000020.tif 000002
【特許請求の範囲】
【請求項１】
設置面上に固定されるとともに横長の展示室の床面を形成するベース部と、前記床面上を店員が立って歩行可能な高さにて前記展示室の天井を区画する天井部と、前記ベース部上に立設されるとともに横長の前記展示室の内部全体を前方側から視認可能な透明壁部として構成され、該展示室の前面側を仕切る前面壁部と、当該前面壁部の左右に続く形で前記ベース部上に立設され前記展示室の側面側を仕切る側面壁部と、前記前面壁部の後方に対向配置され前記展示室の背面側を仕切る背面壁部とを有するブース本体を備え、
区画前端側が前記前面壁部に内接し区画後端位置が前記前面壁部から前記背面壁部に向う奥行き方向途中位置に定められた主展示区画が、前記ブース本体の前記床面上にて前記前面壁部に沿って左右に複数隣接形成され、
前記床面上にて、それら隣接する複数の主展示区画の背後スペースを互いにつなぐ形で、隣接する各主展示区画の前記背後スペース間を店員が行き来するための店員用通路が区画形成され、
隣接する前記主展示区画同士が、それら主展示区画内に展示されるペットが自力で乗り越えることを抑制し前記前面壁部の半分以下の高さを有した区画間仕切壁にて仕切られてなり、
複数の前記主展示区画と前記店員用通路とが、前記主展示区画内に展示されるペットが乗り越えることを抑制し、該ペットを前記店員が該店員用通路側から抱き上げ可能な高さを有した通路仕切壁にて仕切られてなり、
前記展示室内にて、前記区画間仕切壁と前記通路仕切壁にて仕切られた前記店員用通路と前記主展示区画とがいずれも上方に開放し、かつ、該店員用通路の上方空間と各主展示区画の上方空間とが仕切壁の排除された連通一体空間として形成されてなることを特徴とするペット販売用ブース構造。
【請求項２】
前記側面壁部が透明壁部として構成されてなる請求項１記載のペット販売用ブース構造。
【請求項３】
前記ペットが前記展示室から前記設置面上に向けて自力で飛び降りることを抑制でき、かつ、前記設置面と前記展示室の床面との間を店員が昇降できる程度に、前記展示室の床面が前記ベース部により上げ底されてなり、
前記前面壁部又は前記側面壁部には、それら壁部側にて前記展示室と外部空間とを行き来可能とする展示室用出入り口が、当該展示室用出入り口の内側縁に蝶番結合された展示室側主扉により開放・閉鎖可能に形成されてなる請求項１又は請求項２に記載のペット販売用ブース構造。
【請求項４】
前記展示室側主扉は店員の身長と同等又はこれよりも高く形成され、かつ、該展示室側主扉には、前記主展示区画の床面上のペットが自力で乗り越え不能となる高さに下縁が位置し、かつ、前記展示室側から店員が上半身を乗り出し可能な大きさにてペット受け渡し口が形成され、当該ペット受け渡し口が遮蔽部材により開閉可能に塞がれてなる請求項３記載のペット販売用ブース構造。
【請求項５】
前記遮蔽部材は透明板材の周縁をサッシ部材により保持した透視構造体であり、前記展示室側主扉のペット受け渡し口以外の扉面が、扉枠に嵌め殺し保持された嵌め殺し透明板材にて構成されてなる請求項４記載のペット販売用ブース構造。
【請求項６】
前記展示室側主扉の上半部分に前記ペット受け渡し口が形成され、同じく下半部分に前記嵌め殺し透明板材が設けられている請求項５記載のペット販売用ブース構造。
【請求項７】
前記展示室側主扉は、高さ方向中間位置に前記ペット受け渡し口が形成され、該ペット受け渡し口の上側と下側とにそれぞれ隣接して前記嵌め殺し透明板材が設けられている請求項５記載のペット販売用ブース構造。
【請求項８】
前記遮蔽部材は、前記ペット受け渡し口の内側縁に蝶番結合されたペット受け渡し扉である請求項４ないし請求項７のいずれか１項に記載のペット販売用ブース構造。
【請求項９】
前記展示室側主扉は前記展示室用出入り口に対し前記外部空間側へ外開き形態で取り付けられ、前記ペット受け渡し扉はペット受け渡し口に対し前記展示室側へ内開き形態で取り付けられている請求項８記載のペット販売用ブース構造。
【請求項１０】
前記遮蔽部材は、前記展示室側主扉の扉面に対し上下にスライド可能に設けられたスライド窓である請求項４ないし請求項７のいずれか１項に記載のペット販売用ブース構造。
【請求項１１】
前記ベース部の前面側には前記前面壁部の下縁に沿って、主展示区画に展示されるペットの商品情報を表示する商品情報表示部が設けられている請求項４ないし請求項１０のいずれか１項に記載のペット販売用ブース構造。
【請求項１２】
前記ベース部の内部に収納スペースが形成され、該収納スペースへの物品出し入れ口が前記ベース部の外壁部に開口形成されている請求項４ないし請求項１１のいずれか１項に記載のペット販売用ブース構造。
【請求項１３】
前記区画間仕切壁が透明板材にて構成され、前記通路仕切壁が不透明板材にて構成されてなる請求項１ないし請求項１２のいずれか１項に記載のペット販売用ブース構造。
【請求項１４】
前記ブース本体内には、前記背面壁部の前記奥行き方向後方に前記展示室と隣接する形でペット管理室が形成されてなる請求項１ないし請求項１３のいずれか１項に記載のペット販売用ブース構造。
【請求項１５】
複数の前記主展示区画のうち、前記前面壁部の長手方向において左右少なくともいずれか一方の端に位置するコーナー主展示区画が、前記側面壁部に沿って回り込む形で、前記前面壁部の長手方向途中位置に位置する主展示区画の後方縁よりも前記奥行き方向に延出拡張されてなる請求項１ないし請求項１４のいずれか１項に記載のペット販売用ブース構造。
【請求項１６】
前記前面壁部と前記側面壁部との接続コーナー位置に、前記前面壁部側から奥行き方向に傾斜する傾斜壁部が透明壁部として設けられている請求項１５記載のペット販売用ブース構造。
【請求項１７】
請求項３ないし請求項１２のいずれか１項に記載の要件を備え、前記傾斜壁部が前記展示室側主扉により構成されてなる請求項１６記載のペット販売用ブース構造。
【請求項１８】
前記店員用通路と前記背面壁部との間に設けられた横長の上げ底ブロックの上面に、前記主展示区画の床面部よりも一定高さ上げ底された形で副展示区画が設けられている請求項１ないし請求項１７のいずれか１項に記載のペット販売用ブース構造。
【請求項１９】
前記上げ底ブロックの内部に展示室側収納スペースが形成され、当該収納スペースの出し入れ口が前記店員用通路側に開口する形で形成されてなる請求項１８記載のペット販売用ブース構造。
【請求項２０】
前記副展示区画は前記上げ底ブロックの長手方向に単位区画が複数隣接する形で形成され、各単位区画の前面側が該単位区画内に展示されるペットが自力で乗り越えることを抑制し前記前面壁部の半分以下の高さを有した前面副壁部にて区画され、また、隣接する単位区画同士が、それら単位区画同内に展示されるペットが自力で乗り越えることを抑制し前記前面壁部の半分以下の高さを有した区画間副仕切壁にて仕切られてなり、それら単位区画の上方空間が前記連通一体空間の一部を形成する請求項１８又は請求項１９に記載のペット販売用ブース構造。
【請求項２１】
請求項１５又は請求項１６に記載の要件を備え、前記店員用通路が前記上げ底ブロックの長手方向端面を前記奥行き方向へ鍵型に回り込む形で形成され、前記コーナー主展示区画が該店員用通路に沿って前記奥行き方向へ鍵型に回り込む形で形成されている請求項１８ないし請求項２０のいずれか１項に記載のペット販売用ブース構造。
【請求項２２】
前記上げ底ブロックの上方にて前記背面壁部の前記前面壁部から透視可能な位置に、販売促進用映像を表示する映像表示パネルが配置されている請求項１８ないし請求項２１のいずれか１項に記載のペット販売用ブース構造。
【請求項２３】
複数の前記主展示区画がそれぞれ小形犬ないし幼少犬の展示区画であり、前記展示室の床面上にてそれら複数の前記主展示区画の配列末端に隣接する形で、それら主展示区画同士を仕切る前記区画間壁部よりも高い高区画壁で仕切られた猫専用展示区画が設けられている請求項１ないし請求項２２のいずれか１項に記載のペット販売用ブース構造。
【請求項２４】
前記高区画壁は前記展示室の床面から天井面に至る閉鎖壁部として形成されてなる請求項２３に記載のペット販売用ブース構造。
【請求項２５】
前記閉鎖壁部は、前記主展示区画と前記猫専用展示区画とを行き来するための猫専用展示区画出入り口を開閉可能に塞ぐ猫専用展示区画用扉とされてなる請求項２４に記載のペット販売用ブース構造。
【請求項２６】
請求項１５ないし請求項１７のいずれか１項に記載の要件を備え、前記コーナー主展示区画の前記奥行き方向背後に隣接する形で前記猫専用展示区画が形成され、透明壁部として形成された前記側面壁部から当該猫専用展示区画の内部が透視可能とされてなる請求項２４又は請求項２５に記載のペット販売用ブース構造。
【発明の詳細な説明】
【技術分野】
【０００１】
この発明は、ペットショップなどに据えつけて使用するペット販売用ブース構造に関する。
【背景技術】
【０００２】
【特許文献１】特開２００４−２８７６９３号公報
【０００３】
犬や猫などのペットを販売する際には、一般には販売に係るペットを個別のケージに入れ、そのケージを、前面がガラス板などで構成された展示用ブロックに個別に収容して展示し、顧客にペットの様子を見てもらいながら販売に供する方法が一般的である。また、売られるペットはその多くが子犬や子猫などの幼少動物であり、その健康管理には十分注意する必要がある。
【０００４】
しかし、上記の方式では、販売対象となるペットが狭い展示用ブロックに閉じ込められるために、特に幼少の犬猫などの場合、閉鎖感に長時間圧迫されてストレスがたまりやすく、品質を落としやすい問題がある。また、別の問題として、閉じ込められた空間で圧迫された状態では、ペット本来の性格（おとなしい、いたずら好き、やんちゃ、神経質など）が表に現れにくく、店員が説明しても顧客に十分伝わらないことも多い。その結果、展示用ブロック内での見た目の印象で購入判断した顧客は、連れ帰ったペットの様子が豹変したりするのを見て狼狽したり、店側に苦情を申し出たりすることもありえる。
【０００５】
そこでこの問題を解決するために本発明者は、特許文献１において、従来どおりの個別ペット収納部からなる個別小展示区画に加えて、個々の個別ペット収納部よりは大きな床面積を有する共通大展示区画を設け、これを各個別ペット収納部に収容された複数のペットの間で共有される放し飼い空間として利用するペット販売用ブース構造を提案した。該構造によると、そして、その共通大展示区画の壁部前面を第二の展示用壁部とすることで、任意の個別ペット収納部から取り出されたペットを、より大きな空間で自由に放し飼いにすることができ、購入者は、個別小展示区画に入っている状態だけでなく、その放し飼いの様子をつぶさに観察することができる。
【発明の開示】
【発明が解決しようとする課題】
【０００６】
しかし、上記従来のペット販売用ブース構造では、共通大展示区画と個別ペット収納部からなる個別小展示区画とを併設しなければならず、店舗内のスペースが余分に必要となる問題がある。その結果、個別小展示区画を設ける分だけ共通大展示区画に割り振り可能なスペースが削減され、顧客アピール上の目玉となる共通大展示区画の空間的なインパクトが不足しやすい欠点がある。また、個々のペットの商品情報（種別、性別、価格、グレードなど）は個別小展示区画側では把握しやすいが、一旦ペットが個別小展示区画から共通大展示区画に移されると、店員に説明を受けない限り、店舗や売り場をスポット的に訪れた顧客等にとっては商品把握が難しくなってしまう欠点がある。
【０００７】
本発明の課題は、展示中のストレス蓄積回避やペットの性格把握容易性など共通大展示区画的な利点を保持しつつも、商品情報を把握しやすい個別展示の利点も巧みに融合でき、かつ、共通大展示区画と個別小展示区画との機能融合により広大な展示空間の活用を可能とし、ひいては空間的なインパクトの大きい商品展示が可能なペット販売用ブース構造を提供することにある。
【課題を解決するための手段及び発明の効果】
【０００８】
上記の課題を解決するために、本発明のペット販売用ブース構造は、
設置面上に固定されるとともに横長の展示室の床面を形成するベース部と、床面上を店員が立って歩行可能な高さにて展示室の天井を区画する天井部と、ベース部上に立設されるとともに横長の展示室の内部全体を前方側から視認可能な透明壁部として構成され、該展示室の前面側を仕切る前面壁部と、当該前面壁部の左右に続く形でベース部上に立設され展示室の側面側を仕切る側面壁部と、前面壁部の後方に対向配置され展示室の背面側を仕切る背面壁部とを有するブース本体を備える。また、区画前端側が前面壁部に内接し区画後端位置が前面壁部から背面壁部に向う奥行き方向途中位置に定められた主展示区画が、ブース本体の床面上にて前面壁部に沿って左右に複数隣接形成される。上記床面上にて、それら隣接する複数の主展示区画の背後スペースを互いにつなぐ形で、隣接する各主展示区画の背後スペース間を店員が行き来するための店員用通路が区画形成される。隣接する主展示区画同士は、それら主展示区画内に展示されるペットが自力で乗り越えることを抑制し前面壁部の半分以下の高さを有した区画間仕切壁にて仕切られる。また、複数の主展示区画と店員用通路とが、主展示区画内に展示されるペットが乗り越えることを抑制し、該ペットを店員が該店員用通路側から抱き上げ可能な高さを有した通路仕切壁にて仕切られる。そして、展示室内にて、区画間仕切壁と通路仕切壁にて仕切られた店員用通路と主展示区画とがいずれも上方に開放し、かつ、該店員用通路の上方空間と各主展示区画の上方空間とが仕切壁の排除された連通一体空間として形成されてなることを特徴とする。
【０００９】
上記本発明のペット販売用ブース構造では、ブース本体内の展示室の内部にて、その透明な前面壁部に沿ってブース本体の床面上に複数の主展示区画を隣接形成し、それら主展示区画の後方に、各主展示区画の背後スペースをつなぐ店員用通路を形成する。そして、隣接する主展示区画は、前面壁部よりも低い、具体的にはペットが自力で乗り越えることを抑制し前面壁部の半分以下の高さを有した区画間仕切壁にて仕切り、店員用通路と主展示区画とは、ペットが乗り越えることを抑制し、該ペットを店員が該店員用通路側から抱き上げ可能な高さの通路仕切壁にて仕切る。展示室自体は店員が立って歩行可能な天井高さに設営されているので、区画間仕切壁と通路仕切壁にて仕切られた店員用通路と主展示区画とは、当該展示室内にて上方に開放し、かつ、その上方空間が、仕切壁のない連通一体空間として展示室内に融合されることとなる。これにより、展示中のストレス蓄積回避やペットの性格把握容易性など共通大展示区画的な利点を保持しつつも、商品情報を把握しやすい個別展示の利点も巧みに融合でき、かつ、共通大展示区画と個別小展示区画との機能融合により広大な展示空間の活用を可能とし、ひいては空間的なインパクトの大きい商品展示が可能となる。
【発明を実施するための最良の形態】
【００１０】
以下、本発明の実施の形態を、図面を用いて説明する。図１は、本発明の一実施形態に係るペット販売用ブース構造の外観を示すものであり、図２はその内部構造を示すものである。該ペット販売用ブース構造１は、設置面Ｆ上に固定されるとともに横長の展示室３の床面を形成するベース部５と、床面上を店員が立って歩行可能な高さにて展示室３の天井を区画する天井部７と、ベース部５上に立設されるとともに横長の展示室３の内部全体を前方側から視認可能な透明壁部として構成され、該展示室３の前面側を仕切る前面壁部９と、当該前面壁部９の左右に続く形でベース部５上に立設され展示室３の側面側を仕切る側面壁部１１と、前面壁部９の後方に対向配置され展示室３の背面側を仕切る背面壁部１３とを有するブース本体２を備える。また、区画前端側が前面壁部９に内接し区画後端位置が前面壁部９から背面壁部１３に向う奥行き方向途中位置に定められた主展示区画４が、ブース本体２の床面上にて前面壁部９に沿って左右に複数隣接形成される。上記床面上にて、それら隣接する複数の主展示区画４の背後スペースを互いにつなぐ形で、隣接する各主展示区画４の背後スペース間を店員が行き来するための店員用通路６が区画形成される。隣接する主展示区画４同士は、それら主展示区画４内に展示されるペットが自力で乗り越えることを抑制し前面壁部９の半分以下の高さを有した区画間仕切壁８にて仕切られる。また、複数の主展示区画４と店員用通路６とが、主展示区画４内に展示されるペットが乗り越えることを抑制し、該ペットを店員が該店員用通路６側から抱き上げ可能な高さを有した通路仕切壁１０にて仕切られる。そして、展示室３内にて、区画間仕切壁８と通路仕切壁１０にて仕切られた店員用通路６と主展示区画４とがいずれも上方に開放し、かつ、該店員用通路６の上方空間と各主展示区画４の上方空間とが仕切壁の排除された連通一体空間ＳＰとして形成されてなる。
【００１１】
上記ペット販売用ブース構造１では、ブース本体２内の展示室３の内部にて、その透明な前面壁部９に沿ってブース本体２の床面上に複数の主展示区画４を隣接形成し、それら主展示区画４の後方に、各主展示区画４の背後スペースをつなぐ店員用通路６を形成する。そして、隣接する主展示区画４は、前面壁部９よりも低い、具体的にはペットが自力で乗り越えることを抑制し前面壁部９の半分以下の高さを有した（例えば、３５ｃｍ以上７０ｃｍ以下：一例として５０ｃｍ）区画間仕切壁８にて仕切られる。また、店員用通路６と主展示区画４とは、ペットが乗り越えることを抑制し、該ペットを店員ＣＬ（図４）が該店員用通路６側から抱き上げ可能な高さ（通路床面からの高さでやはり３５ｃｍ以上１００ｃｍ以下（望ましくは３５ｃｍ以上７０ｃｍ以下）：一例として５０ｃｍ）の通路仕切壁１０にて仕切られる。
【００１２】
展示室３自体は店員（大人：身長は１５０ｃｍ〜１９０ｃｍ：平均的には１７０ｃｍ程度であろう）が立って歩行可能な天井高さに設営されているので、区画間仕切壁８と通路仕切壁１０にて仕切られた店員用通路６と主展示区画４とは、当該展示室３内にて上方に開放し、かつ、その上方空間が、仕切壁のない連通一体空間ＳＰとして展示室３内に融合されることとなる。これにより、展示中のストレス蓄積回避やペットの性格把握容易性など共通大展示区画的な利点を保持しつつも、商品情報を把握しやすい個別展示の利点も巧みに融合でき、かつ、共通大展示区画と個別小展示区画との機能融合により広大な展示空間の活用を可能とし、ひいては空間的なインパクトの大きい商品展示が可能となる。以下、より具体的な効果について述べる。
【００１３】
（１）ブース本体２内にて主展示区画４は壁部上方が開放しており、隣の主展示区画４とも共有される展示室３の空間が大きく拡がっているので圧迫感が少ない。また、その壁部の高さも、ペットの自力での乗り越えは困難であるが、店員は簡単に抱き上げられる程度の高さで仕切られているので、ペットがなついている店員との親近感が損なわれにくい。その結果、壁部で仕切られた展示区画でありながら、ペットは特許文献１の大展示区画に準じた開放的感及び安心感を味わうことができ、該大展示区画と同様の感覚で自由に遊ぶことができる。
【００１４】
（２）上記ブース本体２の前面壁部９が、横長の展示室３の内部全体を前方側から視認可能な透明壁部として構成されているので、複数の主展示区画４の仕切られているにも拘わらず、内部は一体・単一の広大な展示室３として視認できる。
（３）複数の主展示区画４の背後を横断する形で店員用通路６が設けられているので、上から各主展示区画４のペットを上から見下ろす形で自由に行き来でき、個々の主展示区画４にどのようなペットが収容されているか、また、各ペットの状態がどのであるかを容易に把握できる。
【００１５】
（４）顧客は各主展示区画４内のペットを、前面壁部９を介して至近距離から観察できる。そして、個々の主展示区画４の上方が空間的につながっており、その全体を視認できる形で前面壁部９が設けられているので、前面壁部９越しに顧客が指等で指し示すペットがどれであるかを店員が容易に理解できる。特に通路仕切壁１０がまたいで乗り越えられる程度の高さ（３５ｃｍ〜５５ｃｍ）であれば、店員は店員用通路６からそのペットのいる主展示区画４内に足を踏み入れてペットを抱き上げ、前面壁部９へと簡単に近づくことができる。後述のごとく、展示室３の床面が適当に上げ底されていれば、店員が抱き上げたペットは外の顧客の目線に近い高さとなり、アピール効果は絶大である。
【００１６】
（５）個々の主展示区画４は、ペットが自力で乗り超えることが困難な高さの壁部で仕切られているので、万一病気等に感染したペットが発生しても、店員が通路側から個別に管理・コントロールできるので、ブース内のペットに病気等が接触感染により拡がる惧れが極めて小さい。
【００１７】
本実施形態では、前面壁部９とともに側面壁部１１もガラスやアクリル板等の透明壁部として構成される。図５に示すように、横に広い展示室３を、その横方向に見通す形でも視認できるので、その奥行き感をよりリアルに把握でき、顧客に与える空間的なインパクトがより高められている。
【００１８】
図４に示すように、ペットが展示室３から設置面Ｆ上に向けて自力で飛び降りることを抑制できかつ、設置面Ｆと展示室３の床面との間を店員が昇降できる程度（（例えば、４０ｃｍ以上６０ｃｍ以下:ここでは５０ｃｍ）に、展示室３の床面がベース部５により上げ底されている。図１に示すように、前面壁部９又は側面壁部１１（本実施形態では、後述のごとく両者の兼用される傾斜壁部３１）には、それら壁部側にて展示室３と外部空間とを行き来可能とする展示室用出入り口１２が、当該展示室用出入り口１２の内側縁に蝶番結合された展示室側主扉１５により開放・閉鎖可能に形成されている。このような展示室用出入り口１２を設けることで、ペットの遊具や付属品などの荷物を展示室３内へ容易に搬入できる。また、展示室側主扉１５を開け放っても、上記の高さで床面がベース部５により上げ底されているので、展示室３内部のペットが展示室用出入り口１２から脱走する不具合も抑制される。本実施形態では、図６に示すように、展示室用出入り口１２の足元に脱走防止用フェンスをＥＦ着脱可能に設けている。
【００１９】
図６において、展示室側主扉１５は店員の身長と同等又はこれよりも高く（例えば１７０ｃｍ以上２１０ｃｍ以下）形成されている。また、該展示室側主扉１５には、主展示区画４の床面上のペットが自力で乗り越え不能となる高さに下縁が位置し、かつ、展示室３側から店員が上半身を乗り出し可能な大きさにてペット受け渡し口１７が形成され、当該ペット受け渡し口１７が遮蔽部材１４により開閉可能に塞がれている。周囲を壁部でいわば密閉された展示室３も、このペット受け渡し口１７にてペットの脱走を抑制しつつ開放でき、店員が抱きかかえたペットを顧客に直接近づけたり触らせたりすることができる。また、展示室側主扉１５にペット受け渡し口１７を組み込むことで、展示室用出入り口１２とペット受け渡し口１７とを重ねることができ、余計な開口がブース本体２の壁部に形成されない。これにより、ブース本体２の外観や展示室３内の視認が損なわれることがなく、空間的な広がり感も良好に維持できる。
【００２０】
本実施形態において、遮蔽部材１４は透明板材の周縁をサッシ部材により保持した透視構造体であり、展示室側主扉１５のペット受け渡し口１７以外の扉面は、扉枠に嵌め殺し保持された嵌め殺し透明板材１９にて構成されている。ペット受け渡し口１７が形成された多少複雑な構造の扉でありながら、展示室３の周囲を区画する壁部の一角を構成する上での内部の視認性を良好に確保することができる。ここでは、展示室側主扉１５の上半部分にペット受け渡し口１７が形成され、同じく下半部分に嵌め殺し透明板材１９が設けられているので、店員はペット受け渡し口１７から上半身を楽に外へ乗り出すことができ、ペット受け渡し等も容易に行なうことができる。
【００２１】
一方、図８に示すように、展示室側主扉１５は、高さ方向中間位置にペット受け渡し口１７を形成することもできる。この場合、該ペット受け渡し口１７の上側と下側とにそれぞれ隣接して嵌め殺し透明板材１９を設けるようにする。これによると、上げ底されたやや高い床面に立つ店員が、腰をかがめてペット受け渡し口１７に臨むことで、これより低い設置面Ｆ側に立つ顧客の顔に店員が近づくことができ、親近感を高められる。
【００２２】
図６及び図８の例では、遮蔽部材１４は、ペット受け渡し口１７の内側縁に蝶番結合されたペット受け渡し扉１４とされている。蝶番結合された扉構造の採用によりペット受け渡し口１７の開放閉鎖が一層容易である。この場合、図７に示すように、展示室側主扉１５は展示室用出入り口１２に対し外部空間側へ外開き形態で取り付けることで、大型荷物等を展示室３内に運び込む際にも展示室３側に扉が倒れ込まないので邪魔になりにくい。また、ペット受け渡し扉１４はペット受け渡し口１７に対し展示室３側へ内開き形態で取り付けると（図５も参照）、外の顧客との干渉を気にせずにペット受け渡し扉１４を開放できる利点がある。
【００２３】
なお、図９に示すように、遮蔽部材は、展示室側主扉１５の扉面に対し上下にスライド可能に設けられたスライド窓１６とすることもできる。この構成によっても、外の顧客を気にせずにペット受け渡し口１７を開放できる利点がある（符号１６Ｇは、スライド窓１６の両縁を昇降ガイドするガイドレールである）。
【００２４】
次に、図１に示すように、ベース部５の前面側には前面壁部９の下縁に沿って、主展示区画４に展示されるペットの商品情報を表示する商品情報表示部２１が設けられている。これにより、個々の主展示区画４（あるいは後述の副展示区画３３）に収容されているペット（商品）の情報（種別、性別、価格、グレードなど）を顧客が容易に把握でき、また、もっと詳しく見せて欲しい商品を店員に要求するのも楽である。本実施形態では、図６に示すように、商品情報表示部２１は、着脱ベース部２１Ｂ上に着脱可能に取り付けられる商品情報プレート２２を複数横方向に取り付けた構造となっている。着脱ベース部２１Ｂの上下縁には金属あるいは樹脂製のプレート取り付けフレーム２１Ｇが形成され、樹脂ラミネート体等で構成された商品情報プレート２２を撓ませてその上下の縁部をフレーム２１Ｇの溝に挿入する形で取り付ける構造となっている。商品情報プレート２２派Ｍ当然、その商品（ペット）が収容されている主展示区画４の直下に配置するとわかりやすい。
【００２５】
なお、図３に示すように、ベース部５の内部には収納スペース２３が形成されている。図６に示すように、該収納スペース２３への物品出し入れ口２４はベース部５の外壁部に開口形成されている。この構成により、ブースの付属品や備品等を簡単に収納できる。本実施形態では、物品出し入れ口２４がベース部５の側面部（及び、傾斜壁部３１）に開口形成されている。また、物品を収納する引出し２５が、物品出し入れ口２４から収納スペース２３へ出入り可能に設けられている。一方、図１に示すように、ブース本体２の天井部７の上方には、当該天井部７を取り囲む形態で天井ブロック２７部が形成され、当該天井ブロック２７部の内部に展示室３に連通する換気用ダクト２６が形成されている。
【００２６】
本実施形態では、区画間仕切壁８が透明板材（アクリル板等）にて構成されている。これにより、図５に示すように、隣接する主展示区画４が横方向に一体化して見え、展示室３内をより広大に演出することができる。一方、図２において通路仕切壁１０は不透明板材（化粧合板等）にて構成されている。これにより、店員の足元や通路上の用具や備品等が隠れるので、展示室３内の美観が向上する。
【００２７】
また、ブース本体２内には、背面壁部１３の奥行き方向後方に展示室３と隣接する形でペット管理室２９が形成されている。このようなペット管理室２９を設けることで、ペットの手入れなどを行ないやすくなり、展示室３内のペットの入れ換え作業も容易となる。なお、符号４０はペット用具などを洗ったりするためのシンクであり、符号４１は備品棚である。
【００２８】
次に、本実施形態では、複数の主展示区画４のうち、前面壁部９の長手方向において左右少なくともいずれか一方の端に位置するコーナー主展示区画４Ｃが、側面壁部１１に沿って回り込む形で、前面壁部９の長手方向途中位置に位置する主展示区画４の後方縁よりも奥行き方向に延出拡張されている。これにより、主展示区画４列の奥行き感が一層高められ、また、コーナー主展示区画４Ｃは、奥行き方向に拡張されることでペットにとってより広くて快適な活動スペースとして機能する。また、側面壁部１１からの視認性も良好である。
【００２９】
前面壁部９と側面壁部１１との接続コーナー位置には、前面壁部９側から奥行き方向に傾斜する傾斜壁部３１が透明壁部として設けられている。傾斜壁部３１を設けることでコーナー主展示区画４Ｃの角を丸め込むことができ、ペットが閉塞感を感じやすい区画内遇部が形成されにくくなる。本実施形態では、この傾斜壁部３１に展示室側主扉１５が形成されている。内部視認性雅優先される前面壁部９と側面壁部１１に展示室用出入り口１２の形成が目立ち難くなり、特に前面壁部９からの展示室３内部の視認性が高められる。
【００３０】
次に、図３に示すように、店員用通路６と背面壁部１３との間には横長の上げ底ブロック３２が設けられ、その上面に、主展示区画４の床面部よりも一定高さ上げ底された形で副展示区画３３が設けられている。このようにすると、店員用通路６の背後にもペットの展示区画を確保でき、より多くのペットを展示できる。また、主展示区画４の床面部よりも上げ底されていることで、副展示区画３３内のペットの視認性も高められている。
【００３１】
上げ底ブロック３２の内部には展示室側収納スペース３５が形成され、当該収納スペース３５の出し入れ口３６が店員用通路６側に開口する形で形成されている。これにより、ペットの世話等に使用する備品等の収納スペース３５を、主展示区画４及び副展示区画３３のいずれにも近い位置に確保できるので非常に便利である。なお、収納スペース３５の出し入れ口３６を塞ぐ収納扉３７が店員用通路６側に旋回開閉する形で設けられている。
【００３２】
本実施形態では、副展示区画３３は上げ底ブロック３２の長手方向に単位区画３９が複数隣接する形で形成されている。また、各単位区画３９は、図５に示すように、その前面側が該単位区画３９内に展示されるペットが自力で乗り越えることを抑制し前面壁部９の半分以下の高さを有した前面副壁部４１にて区画されている。また、隣接する単位区画３９同士は、それら単位区画３９同内に展示されるペットが自力で乗り越えることを抑制し前面壁部９の半分以下の高さを有した区画間副仕切壁４３にて仕切られている。そして、それら単位区画３９の上方空間が連通一体空間ＳＰの一部を形成している。この構造は、主展示区画４と類似の構造であって、主展示区画４と同様の効果を奏することができる。ただし、上げ底ブロック３２の上面に上記単位区画３９を形成する代わりに、個別のペット収容ケージを載置してもよい。
【００３３】
図２に示すように、コーナー主展示区画４Ｃは該店員用通路６に沿って奥行き方向へ鍵型に回り込む形で形成されている。これにより、展示室３の内部を視認可能な前面壁部９と側面壁部１１とに沿って主展示区画４を有効形成できる。そして、店員用通路６も、これに対応して上げ底ブロック３２の長手方向端面を奥行き方向へ鍵型に回り込む形で形成されているので、上記コーナー主展示区画４Ｃも含めて各主展示区画４の背後スペースにきめ細かく移動することができる。なお、店員用通路６の奥行き方向の端部にて背面壁部１３には、展示室３とペット管理室２９とを行き来するためのペット管理室出入り口４７（扉４７Ｄにより開閉可能に塞がれる）が形成されている。
【００３４】
また、図４に示すように、上げ底ブロック３２の上方にて背面壁部１３の前面壁部９から透視可能な位置に、販売促進用映像を表示する映像表示パネル４５が配置されて、ＰＲ効果が高められている。
【００３５】
本実施形態においては、図５に示すように、複数の主展示区画４がそれぞれ、ペットとしての人気や話題性の最も高い小形犬Ｄないし幼少犬Ｄの展示区画とされ、これら人気動物がブース本体のメインディスプレイ面をなす横長の前面壁部９側に集められる形となっている。そして、図２に示すように、展示室３の床面上にてそれら複数の主展示区画４の配列末端に隣接する形で、それら主展示区画４同士を仕切る区画間壁部よりも高い高区画壁５１で仕切られた猫専用展示区画４９が設けられている。図１０は猫専用展示区画４９の詳細を示すもので、比較的高い壁等も簡単によじ登る猫の展示スペースを犬用の主展示区画４から分離でき、猫が犬用の展示スペースに乱入したりする不具合も生じにくくなっている。本実施形態では、高区画壁５１が展示室３の床面から天井面に至る閉鎖壁部として形成され、猫専用展示区画４９から犬用の主展示区画４への猫の侵入がシャットアウトされている。また、閉鎖壁部は、主展示区画４と猫専用展示区画４９とを行き来するための猫専用展示区画出入り口５２を開閉可能に塞ぐ猫専用展示区画用扉５１とされて、猫専用展示区画４９への猫の搬入を展示室３側から行なうようになっている。これにより、すばしこい猫がブース本体２外に逃げ出す惧れが大幅に軽減され、また、ブース本体２の該壁面に余計な搬入口が形成されないので、展示室３内の視認性が高められている。
【００３６】
本実施形態では、図２に示すように、コーナー主展示区画４Ｃの奥行き方向背後に隣接する形で猫専用展示区画４９が形成され、図１０に示すように、透明壁部として形成された側面壁部１１から当該猫専用展示区画４９の内部が透視可能とされている。図２において、猫の好きな人は側面壁部１１から当該猫専用展示区画４９内を眺めることになるので、前面壁部９側の犬好きの人とうまく顧客分離でき、ブース周囲に集まる来店者の流れもスムーズとなる。また、猫専用展示区画用扉５１を、扉フレームにはめ込まれるフレームアクリル板等の透明壁部５１Ｗにて扉壁を形成している。これにより、例えば前方壁部９側からの猫専用展示区画４９内部の視認性が高められ、主展示区画４側との空間的な一体感も高められている。
【図面の簡単な説明】
【００３７】
【図１】本発明のペット販売用ブース構造の一例を正面図。
【図２】図１の平面断面図。
【図３】図２の要部を示す平面断面図及びその内部構造の正面図。
【図４】図３の要部正面図及び側面断面図
【図５】図１のペット販売用ブース構造の内部を側方から透視した状態を示す斜視図。
【図６】図１のペット販売用ブース構造の傾斜壁部付近を拡大して示す斜視図。
【図７】展示室側主扉の機能を説明する平面図。
【図８】展示室側主扉の変形例を示す正面図及び裏面図。
【図９】展示室側主扉の別の変形例を示す正面図及び側面図。
【図１０】図１のペット販売用ブース構造の猫専用展示区画を拡大して示す斜視図。
【符号の説明】
【００３８】
Ｆ  設置面
１  ペット販売用ブース構造
２  ブース本体
３  展示室
ＳＰ  連通一体空間
４  主展示区画
４Ｃ  コーナー主展示区画
５  ベース部
６  店員用通路
７  天井部
８  区画間仕切壁
９  前面壁部
１０  通路仕切壁
１１  側面壁部
１２  展示室用出入り口
１３  背面壁部
１４  ペット受け渡し扉
１５  展示室側主扉
１６  スライド窓（遮蔽部材）
１７  ペット受け渡し口
１８  排気ダクト
１９  嵌め殺し透明板材
２１  商品情報表示部
２２  ステップ
２３  収納スペース
２９  ペット管理室
３１  傾斜壁部
３２  上げ底ブロック
３３  副展示区画
３５  展示室側収納スペース
３６  出し入れ口
３９  単位区画
４１  前面副壁部
４３  区画間副仕切壁
４５  映像表示パネル
４９  猫専用展示区画
５１  猫専用展示区画用扉（高区画壁）
【図１】
2008000020.tif 000003
【図２】
2008000020.tif 000004
【図３】
2008000020.tif 000005
【図４】
2008000020.tif 000006
【図５】
2008000020.tif 000007
【図６】
2008000020.tif 000008
【図７】
2008000020.tif 000009
【図８】
2008000020.tif 000010
【図９】
2008000020.tif 000011
【図１０】
2008000020.tif 000012
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
設置面上に固定されるとともに横長の展示室の床面を形成するベース部と、前記床面上を店員が立って歩行可能な高さにて前記展示室の天井を区画する天井部と、前記ベース部上に立設されるとともに横長の前記展示室の内部全体を前方側から視認可能な透明壁部として構成され、該展示室の前面側を仕切る前面壁部と、当該前面壁部の左右に続く形で前記ベース部上に立設され前記展示室の側面側を仕切る側面壁部と、前記前面壁部の後方に対向配置され前記展示室の背面側を仕切る背面壁部とを有するブース本体を備え、
区画前端側が前記前面壁部に内接し区画後端位置が前記前面壁部から前記背面壁部に向う奥行き方向途中位置に定められた主展示区画が、前記ブース本体の前記床面上にて前記前面壁部に沿って左右に複数隣接形成され、
前記床面上にて、それら隣接する複数の主展示区画の背後スペースを互いにつなぐ形で、隣接する各主展示区画の前記背後スペース間を店員が行き来するための店員用通路が区画形成され、
隣接する前記主展示区画同士が、それら主展示区画内に展示されるペットが自力で乗り越えることを抑制し前記前面壁部の半分以下の高さを有した区画間仕切壁にて仕切られてなり、
複数の前記主展示区画と前記店員用通路とが、前記主展示区画内に展示されるペットが乗り越えることを抑制し、該ペットを前記店員が該店員用通路側から抱き上げ可能な高さを有した通路仕切壁にて仕切られてなり、
前記展示室内にて、前記区画間仕切壁と前記通路仕切壁にて仕切られた前記店員用通路と前記主展示区画とがいずれも上方に開放し、かつ、該店員用通路の上方空間と各主展示区画の上方空間とが仕切壁の排除された連通一体空間として形成されてなることを特徴とするペット販売用ブース構造。
【請求項２】
前記側面壁部が透明壁部として構成されてなる請求項１記載のペット販売用ブース構造。
【請求項３】
前記ペットが前記展示室から前記設置面上に向けて自力で飛び降りることを抑制でき、かつ、前記設置面と前記展示室の床面との間を店員が昇降できる程度に、前記展示室の床面が前記ベース部により上げ底されてなり、
前記前面壁部又は前記側面壁部には、それら壁部側にて前記展示室と外部空間とを行き来可能とする展示室用出入り口が、当該展示室用出入り口の内側縁に蝶番結合された展示室側主扉により開放・閉鎖可能に形成されてなる請求項１又は請求項２に記載のペット販売用ブース構造。
【請求項４】
前記展示室側主扉は店員の身長と同等又はこれよりも高く形成され、かつ、該展示室側主扉には、前記主展示区画の床面上のペットが自力で乗り越え不能となる高さに下縁が位置し、かつ、前記展示室側から店員が上半身を乗り出し可能な大きさにてペット受け渡し口が形成され、当該ペット受け渡し口が遮蔽部材により開閉可能に塞がれてなる請求項３記載のペット販売用ブース構造。
【請求項５】
前記遮蔽部材は透明板材の周縁をサッシ部材により保持した透視構造体であり、前記展示室側主扉のペット受け渡し口以外の扉面が、扉枠に嵌め殺し保持された嵌め殺し透明板材にて構成されてなる請求項４記載のペット販売用ブース構造。
【請求項６】
前記展示室側主扉の上半部分に前記ペット受け渡し口が形成され、同じく下半部分に前記嵌め殺し透明板材が設けられている請求項５記載のペット販売用ブース構造。
【請求項７】
前記展示室側主扉は、高さ方向中間位置に前記ペット受け渡し口が形成され、該ペット受け渡し口の上側と下側とにそれぞれ隣接して前記嵌め殺し透明板材が設けられている請求項５記載のペット販売用ブース構造。
【請求項８】
前記遮蔽部材は、前記ペット受け渡し口の内側縁に蝶番結合されたペット受け渡し扉である請求項４ないし請求項７のいずれか１項に記載のペット販売用ブース構造。
【請求項９】
前記展示室側主扉は前記展示室用出入り口に対し前記外部空間側へ外開き形態で取り付けられ、前記ペット受け渡し扉はペット受け渡し口に対し前記展示室側へ内開き形態で取り付けられている請求項８記載のペット販売用ブース構造。
【請求項１０】
前記遮蔽部材は、前記展示室側主扉の扉面に対し上下にスライド可能に設けられたスライド窓である請求項４ないし請求項７のいずれか１項に記載のペット販売用ブース構造。
【請求項１１】
前記ベース部の前面側には前記前面壁部の下縁に沿って、主展示区画に展示されるペットの商品情報を表示する商品情報表示部が設けられている請求項４ないし請求項１０のいずれか１項に記載のペット販売用ブース構造。
【請求項１２】
前記ベース部の内部に収納スペースが形成され、該収納スペースへの物品出し入れ口が前記ベース部の外壁部に開口形成されている請求項４ないし請求項１１のいずれか１項に記載のペット販売用ブース構造。
【請求項１３】
前記区画間仕切壁が透明板材にて構成され、前記通路仕切壁が不透明板材にて構成されてなる請求項１ないし請求項１２のいずれか１項に記載のペット販売用ブース構造。
【請求項１４】
前記ブース本体内には、前記背面壁部の前記奥行き方向後方に前記展示室と隣接する形でペット管理室が形成されてなる請求項１ないし請求項１３のいずれか１項に記載のペット販売用ブース構造。
【請求項１５】
複数の前記主展示区画のうち、前記前面壁部の長手方向において左右少なくともいずれか一方の端に位置するコーナー主展示区画が、前記側面壁部に沿って回り込む形で、前記前面壁部の長手方向途中位置に位置する主展示区画の後方縁よりも前記奥行き方向に延出拡張されてなる請求項１ないし請求項１４のいずれか１項に記載のペット販売用ブース構造。
【請求項１６】
前記前面壁部と前記側面壁部との接続コーナー位置に、前記前面壁部側から奥行き方向に傾斜する傾斜壁部が透明壁部として設けられている請求項１５記載のペット販売用ブース構造。
【請求項１７】
前記ペットが前記展示室から前記設置面上に向けて自力で飛び降りることを抑制でき、かつ、前記設置面と前記展示室の床面との間を店員が昇降できる程度に、前記展示室の床面が前記ベース部により上げ底されてなり、
前記前面壁部又は前記側面壁部には、それら壁部側にて前記展示室と外部空間とを行き来可能とする展示室用出入り口が、当該展示室用出入り口の内側縁に蝶番結合された展示室側主扉により開放・閉鎖可能に形成されてなり、
前記傾斜壁部が前記展示室側主扉により構成されてなる請求項１６記載のペット販売用ブース構造。
【請求項１８】
前記店員用通路と前記背面壁部との間に設けられた横長の上げ底ブロックの上面に、前記主展示区画の床面部よりも一定高さ上げ底された形で副展示区画が設けられている請求項１ないし請求項１７のいずれか１項に記載のペット販売用ブース構造。
【請求項１９】
前記上げ底ブロックの内部に展示室側収納スペースが形成され、当該収納スペースの出し入れ口が前記店員用通路側に開口する形で形成されてなる請求項１８記載のペット販売用ブース構造。
【請求項２０】
前記副展示区画は前記上げ底ブロックの長手方向に単位区画が複数隣接する形で形成され、各単位区画の前面側が該単位区画内に展示されるペットが自力で乗り越えることを抑制し前記前面壁部の半分以下の高さを有した前面副壁部にて区画され、また、隣接する単位区画同士が、それら単位区画同内に展示されるペットが自力で乗り越えることを抑制し前記前面壁部の半分以下の高さを有した区画間副仕切壁にて仕切られてなり、それら単位区画の上方空間が前記連通一体空間の一部を形成する請求項１８又は請求項１９に記載のペット販売用ブース構造。
【請求項２１】
複数の前記主展示区画のうち、前記前面壁部の長手方向において左右少なくともいずれか一方の端に位置するコーナー主展示区画が、前記側面壁部に沿って回り込む形で、前記前面壁部の長手方向途中位置に位置する主展示区画の後方縁よりも前記奥行き方向に延出拡張されてなり、
前記店員用通路が前記上げ底ブロックの長手方向端面を前記奥行き方向へ鍵型に回り込む形で形成され、前記コーナー主展示区画が該店員用通路に沿って前記奥行き方向へ鍵型に回り込む形で形成されている請求項１８ないし請求項２０のいずれか１項に記載のペット販売用ブース構造。
【請求項２２】
前記上げ底ブロックの上方にて前記背面壁部の前記前面壁部から透視可能な位置に、販売促進用映像を表示する映像表示パネルが配置されている請求項１８ないし請求項２１のいずれか１項に記載のペット販売用ブース構造。
【請求項２３】
複数の前記主展示区画がそれぞれ小形犬ないし幼少犬の展示区画であり、前記展示室の床面上にてそれら複数の前記主展示区画の配列末端に隣接する形で、それら主展示区画同士を仕切る前記区画間壁部よりも高い高区画壁で仕切られた猫専用展示区画が設けられている請求項１ないし請求項２２のいずれか１項に記載のペット販売用ブース構造。
【請求項２４】
前記高区画壁は前記展示室の床面から天井面に至る閉鎖壁部として形成されてなる請求項２３に記載のペット販売用ブース構造。
【請求項２５】
前記閉鎖壁部は、前記主展示区画と前記猫専用展示区画とを行き来するための猫専用展示区画出入り口を開閉可能に塞ぐ猫専用展示区画用扉とされてなる請求項２４に記載のペット販売用ブース構造。
【請求項２６】
複数の前記主展示区画のうち、前記前面壁部の長手方向において左右少なくともいずれか一方の端に位置するコーナー主展示区画が、前記側面壁部に沿って回り込む形で、前記前面壁部の長手方向途中位置に位置する主展示区画の後方縁よりも前記奥行き方向に延出拡張されてなり、
前記コーナー主展示区画の前記奥行き方向背後に隣接する形で前記猫専用展示区画が形成され、透明壁部として形成された前記側面壁部から当該猫専用展示区画の内部が透視可能とされてなる請求項２４又は請求項２５に記載のペット販売用ブース構造。
【手続補正２】
【補正対象書類名】明細書
【補正対象項目名】０００２
【補正方法】変更
【補正の内容】
【０００２】
【特許文献１】特開２００４−１８７６９３号公報